(57)【要約】【課題】飯器の側面部における加熱バランスの調整を容易ならしめるとともに、材質の異なる飯器を使用した場合であっても、部品交換を行うことなく対応できるようにする。【解決手段】電気炊飯器において、飯器３の側面部外方に、上下方向に並ぶ複数のサブＩＨコイル１４Ａ，１４Ｂを配置するとともに、該複数のサブＩＨコイル１４Ａ，１４ＢＣのうちの少なくとも一つの内径を、他のものの内径と異ならしめて、炊飯時・保温時において複数のサブＩＨコイル１４Ａ，１４Ｂへの同時通電あるいは特定のサブＩＨコイル１４Ａあるいは１４Ｂへの選択通電を行うことにより、飯器３側面部における加熱バランスの調整を容易に行い得るとともに、加熱面積を大きくすることもできるようにしている。【選択図】      図２
2004329654.tif 000002
【特許請求の範囲】
【請求項１】
飯器の底部下方に配設した主電磁誘導コイルによる誘導加熱により加熱するように構成した電気炊飯器であって、前記飯器の側面部外方には、上下方向に並ぶ複数の補助電磁誘導コイルを配置するとともに、該複数の補助電磁誘導コイルのうちの少なくとも一つの内径を、他のものの内径と異ならしめたことを特徴とする電気炊飯器。
【請求項２】
前記複数の補助電磁誘導コイルのうち巻数の少ないものの内径を、巻数の多いものの内径より小さく設定したことを特徴とする前記請求項１記載の電気炊飯器。
【請求項３】
前記複数の補助電磁誘導コイルのうち上部側に配置されたものの内径を、下部側に配置されたものの内径より小さく設定したことを特徴とする前記請求項１および２のいずれか一項記載の電気炊飯器。
【発明の詳細な説明】
【０００１】
【発明の属する技術分野】
本願発明は、電気炊飯器に関し、さらに詳しくは飯器の底部下方に配設した主電磁誘導コイルによる誘導加熱により加熱するように構成した誘導加熱式の電気炊飯器に関するものである。
【０００２】
【従来の技術】
飯器の底部下方に配設した主加熱手段である電磁誘導コイル（以下、メインＩＨコイルという）による誘導加熱により加熱するように構成した誘導加熱式の電気炊飯器は従来からよく知られている。このような構成の電気炊飯器の場合、前記メインＩＨコイルの他に、飯器の側面部を加熱するための補助加熱手段として作用する保温ヒータを付設することとなっている。この保温ヒータは、主として保温時に通電されることとなっている。
【０００３】
ところで、近年、飯器の底部のみならず側面部を複数の補助加熱手段である電磁誘導コイル（以下、サブＩＨコイルという）による誘導加熱により加熱することによりカマド炊きに近い炊飯状態が得られるようにする試みがなされることとなっている（特許文献１参照）。この特許文献１に開示されている電気炊飯器の場合、飯器の側面部外方には、上下方向に並ぶ複数（２個）のサブＩＨコイルを配置することとなっているが、これらのサブＩＨコイルの内径は同じとされている。
【０００４】
【特許文献１】
特開２００２−２０９７２６号公報。
【０００５】
【発明が解決しようとする課題】
ところが、上記特許文献１に開示されている電気炊飯器の場合、飯器の側面部外方に配置される複数（２個）のサブＩＨコイルの内径が同じ（換言すれば、複数のサブＩＨコイルと飯器側面部との距離が同じ）とされているところから、炊飯時・保温時における飯器側面部の加熱バランスの調整が難しくなるおそれがある。
【０００６】
また、近年、飯器自体の加熱性能等の改善が進み、材質の異なる飯器（例えば、多重層の飯器）が使用される場合があるが、この場合、サブＩＨコイルと飯器との距離には、材質に応じておのずと最適値が存することとなる。
【０００７】
ところが、上記特許文献１に開示されている電気炊飯器のように、飯器の側面部外方に配置される複数（２個）のサブＩＨコイルの内径が同じとすると、飯器として異なる材質のものを使用しようとした場合、サブＩＨコイルと飯器との距離を最適値とするためには、サブＩＨコイル全体を取り換える必要が生ずることとなり、部品の共通化ができなくなるという不具合が生じる。
【０００８】
本願発明は、上記の点に鑑みてなされたもので、飯器の側面部における加熱バランスの調整を容易ならしめるとともに、材質の異なる飯器を使用した場合であっても、部品交換を行うことなく対応できるようにすることを目的とするものである。
【０００９】
【課題を解決するための手段】
本願発明では、上記課題を解決するための第１の手段として、飯器の底部下方に配設したメインＩＨコイルによる誘導加熱により加熱するように構成した電気炊飯器において、前記飯器の側面部外方に、上下方向に並ぶ複数のサブＩＨコイルを配置するとともに、該複数のサブＩＨコイルのうちの少なくとも一つの内径を、他のものの内径と異ならしめている。
【００１０】
上記のように構成したことにより、炊飯時・保温時において複数のサブＩＨコイルへの同時通電あるいは特定のサブＩＨコイルへの選択通電を行うことにより、飯器側面部における加熱バランスの調整を容易に行い得るとともに、加熱面積を大きくすることもできる。従って、炊飯性能および保温性能を向上させることができる。また、材質の異なる飯器を使用する場合に、複数のサブＩＨコイルを選択通電させることにより、材質の相異による飯器とサブＩＨコイルとの距離の最適化を図ることができるところから、部品の共通化を図ることもできる。
【００１１】
本願発明では、さらに、上記課題を解決するための第２の手段として、上記第１の手段を備えた電気炊飯器において、前記複数のサブＩＨコイルのうち巻数の少ないものの内径を、巻数の多いものの内径より小さく設定することもでき、そのようにした場合、巻数の少ないサブＩＨコイルによる飯器への電磁誘導と、巻数の多いサブＩＨコイルによる飯器への電磁誘導とのバランスを良好に保持することができ、飯器側面部における加熱バランスの調整をより容易に行い得る。
【００１２】
本願発明では、さらに、上記課題を解決するための第３の手段として、上記第１又は第２の手段を備えた電気炊飯器において、前記複数のサブＩＨコイルのうち上部側に配置されたものの内径を、下部側に配置されたものの内径より小さく設定することもでき、そのようにした場合、飯器の底部下方に配設されているメインＩＨコイルによる電磁誘導と、飯器の側面部外方において下部側に配置されたサブＩＨコイルによる電磁誘導と、飯器の側面部外方において上部側に配置されたサブＩＨコイルによる電磁誘導とのバランスを良好に保持することができ、飯器側面部における加熱バランスの調整をより容易に行い得る。
【００１３】
【発明の実施の形態】
以下、添付の図面を参照して、本願発明の幾つかの好適な実施の形態にかかる電気炊飯器である電気炊飯器について詳述する。
【００１４】
第１の実施の形態
図１および図２には、本願発明の第１の実施の形態にかかる電気炊飯器が示されている。
【００１５】
この電気炊飯器は、図１に示すように、内部に炊飯用の飯器３を収納し得るように構成され且つ空間部４を有する二重構造の炊飯器本体１と、該炊飯器本体１の上部開口を開閉自在に覆蓋する蓋体２とを備えている。
【００１６】
前記炊飯器本体１は、外側壁を構成する板金製の外ケース５と、底壁を構成する合成樹脂製の底ケース６と、肩部を構成する合成樹脂製の肩部材７と、内周壁を構成する合成樹脂製の有底筒状の保護枠８とからなっており、前記外ケース５、底ケース６、肩部材７および保護枠８に囲まれて前記空間部４が形成されている。なお、前記保護枠６内には、前記飯器３が取り出し可能に収納されることとなっている。
【００１７】
前記保護枠８の底面中央部には、飯器温度を検出するための温度検出手段として作用するセンタセンサー９を臨ませるためのセンサー穴１０が形成されている。
【００１８】
前記センサー穴１０を包囲するように炊飯時における主加熱手段として作用する環状のメインＩＨコイル１１が前記保護枠８の底面および該底面から側周面に至る間の湾曲部に対応して配設されている。該メインＩＨコイル１１は、交番磁界（換言すれば、電磁波）を発生するものであり、該交番磁界の電磁誘導により前記飯器３に誘導渦電流を発生させ、該誘導渦電流の抵抗熱を利用して加熱するものとされている。なお、飯器３は、メインＩＨコイル１１により誘導渦電流を発生させることのできる材質（例えば、磁性体材料）により構成される。
【００１９】
前記メインＩＨコイル１１は、前記保護枠８の底面に対して固定されたコイルダイ１２と前記保護枠８の底面との間に挟持されている。符号１３はフェライトコアであり、メインＩＨコイル１１による磁気が下方に存在する機器に対して影響を及ぼさないように遮閉する作用をなす。
【００２０】
前記センサー穴１０内には、前記飯器３の底部に対して接触するようにしてセンタセンサー９が設けられている。また、前記飯器３の側面部外方には、後に詳述するように、炊飯時・保温時における補助加熱手段として作用するサブＩＨコイル１４Ａ，１４Ｂが設けられている。
【００２１】
前記炊飯器本体１の底部（即ち、底ケース６の内底部）には、前記メインＩＨコイル１１の通電制御を行うためのパワートランジスタおよび整流用ダイオードブリッジ（図示省略）等の電子部品を冷却するヒートシンク１５へ冷却風を圧送する電子部品冷却ファン１６が配設されている。また、前記炊飯器本体１の底壁（具体的には、底ケース６）には、前記電子部品冷却ファン１６に対向して空気入口１７，１７・・が形成されている。符号１８は前記電子部品が配設されている電源基板である。
【００２２】
一方、前記蓋体２は、外面を構成する合成樹脂製の上板１９と、内面を構成する真空二重構造の下板２０とによって構成されている。該下板２０は、上下２枚のドーナツ形状の金属板（例えば、ステンレス板）２０ａ，２０ｂの間の空間を真空空間２１とした構成とされている。この蓋体２は、前記肩部材７の一側に形成されたヒンジユニット２２を介して炊飯器本体１に対して弧回動自在且つ着脱自在に取り付けられている。
【００２３】
そして、前記蓋体２の中央部には、前記上板１９から垂設された筒部２３が形成されており、該筒部２３内には、炊飯時に発生する水蒸気を外部へ排出するための蒸気排出通路２４を有するスチームキャップ２５が着脱自在に取り付けられている。
【００２４】
前記蓋体２の下面には、該蓋体２の閉止時に前記飯器３の開口部を密閉するための熱良導体（例えば、アルミ合金）からなる放熱板２６が取り付けられている。符号２７は放熱板２６の周縁と飯器３の開口部との間をシールするシールパッキン、２８は放熱板２６と蓋体下板２０との間をシールするシールパッキンである。
【００２５】
前記肩部材７には、肩ヒータ２９が設けられており、該肩ヒータ２９に対しては、前記蓋体２の閉止時に放熱板２６の外周縁が圧接され、放熱板２６は肩ヒータ２９からの熱伝導により加熱されることとなっている。この肩ヒータ２９は、断面逆Ｕ字状のヒータリング３０と、該ヒータリング３０内に配設された発熱体３１とからなっている。符号３１ａは肩ヒータ２９を保持するために前記肩部材７に取り付けられた肩ヒータ保持具である。
【００２６】
符号３２は蓋体２の閉止状態を保持するためのロック機構、３３は各種操作キー、液晶表示装置等が設けられている操作パネル部である。
【００２７】
ついで、図２を参照して、前述のサブＩＨコイル１４Ａ，１４Ｂの取付構造について説明する。
【００２８】
前記サブＩＨコイル１４Ａ，１４Ｂは、前記飯器３の側面部（即ち、鉛直面を構成する側面部）に対向するように、前記肩部材７の内端部と前記保護枠８の上端部との間に挟持固定されたコイルリング３４における上下に位置するコイル収納部３４ａ，３４ｂに縦巻状態で巻き付けられている。つまり、前記飯器３の側面部外方には、上下方向に並ぶ２個のサブＩＨコイル１４Ａ，１４Ｂが配置されることとなっているのである。
【００２９】
これらのサブＩＨコイル１４Ａ，１４Ｂのうちの上部側のサブＩＨコイル１４Ａの内径Ｒ１は、下部側のサブＩＨコイル１４Ｂの内径Ｒ２より小さくされている。つまり、上部サブＩＨコイル１４Ａと飯器３の側面部との距離は、下部サブＩＨコイル１４Ｂと飯器３の側面部との距離より小さくされているのである。また、サブＩＨコイル１４Ａ，１４Ｂのうちの上部側のサブＩＨコイル１４Ａの巻数は、下部側のサブＩＨコイル１４Ｂの巻数より少なくされている。このようにすると、巻数の少ない上部側のサブＩＨコイル１４Ａによる飯器３への電磁誘導と、巻数の多い下部側のサブＩＨコイル１４Ｂによる飯器３への電磁誘導とのバランスを良好に保持することができ、飯器３側面部における加熱バランスの調整をより容易に行い得る。なお、サブＩＨコイル１４Ａ，１４Ｂのうちの上部側のサブＩＨコイル１４Ａの最大出力を、下部側のサブＩＨコイル１４Ｂの最大出力より小さく設定するのが望ましい。また、サブＩＨコイル１４Ａ，１４Ｂのうちの上部側のサブＩＨコイル１４Ａは、最大炊飯量（ご飯の状態）よりも上方に位置させるのが望ましい。また、サブＩＨコイル１４Ａ，１４Ｂの間隔は、下部側のサブＩＨコイル１４ＢとメインＩＨコイル１１との間隔よりも狭く設定するのが望ましい。
【００３０】
前記コイルリング３４の上端部（換言すれば、上部コイル収納部３４ａの上部）には、断面逆Ｌ字状の水受け部３５が一体に形成されており、該水受け部３５の内周側は、開放されていて、前記肩部材７の内端部（即ち、肩ヒータ保持具３１ａが取り付けられている部位）が係止されている。このようにすると、肩部材７における肩ヒータ保持具３１が取り付けられている部位から水が侵入したとしても、水は、水受け部３５に誘導されて保護枠８と飯器３との隙間に流れ込むこととなり、炊飯器本体１の内部空間には侵入することがなくなる。従って、炊飯器本体１の内部空間に配設されているメインＩＨコイル１１やサブＩＨコイル１４Ａ，１４Ｂ等への水侵入が確実に防止できる。
【００３１】
さらに、前記コイルリング３４におけるコイル収納部３４ａ，３４ｂの外方は、両方に共通な磁気遮蔽板３６で覆われており、該磁気遮蔽板３６によりサブＩＨコイル１４Ａ，１４Ｂから外方への磁気漏れを防止できるようになっている。
【００３２】
さらにまた、前記サブＩＨコイル１４Ａ，１４Ｂは、並列接続されており、同時通電あるいは選択通電が可能となっている。
【００３３】
上記のように構成された電気炊飯器においては、次のような作用効果が得られる。
【００３４】
炊飯時・保温時においてサブＩＨコイル１４Ａ，１４Ｂへの同時通電あるいは特定のサブＩＨコイル１４Ａあるいは１４Ｂへの選択通電を行うことにより、飯器３側面部における加熱バランスの調整を容易に行い得るとともに、加熱面積を大きくすることもできる。従って、炊飯性能および保温性能を向上させることができる。また、材質の異なる飯器３を使用する場合に、サブＩＨコイル１４Ａ，１４Ｂを選択通電させることにより、材質の相異による飯器３とサブＩＨコイル１４Ａ，１４Ｂとの距離の最適化を図ることができるところから、部品の共通化を図ることもできる。
【００３５】
また、サブＩＨコイル１４Ａ，１４Ｂのうち上部側に配置されたものの内径を、下部側に配置されたものの内径より小さく設定するようにしているので、飯器３の底部下方に配設されているメインＩＨコイル１１による電磁誘導と、飯器３の側面部外方において下部側に配置されたサブＩＨコイル１４Ｂによる電磁誘導と、飯器３の側面部外方において上部側に配置されたサブＩＨコイル１４Ａによる電磁誘導とのバランスを良好に保持することができ、飯器側面部における加熱バランスの調整をより容易に行い得る。
【００３６】
さらに、サブＩＨコイル１４Ａ，１４Ｂを１個のコイルリング３４のコイル収納部３４ａ，３４ｂに巻き付けるようにしているので、部品点数が少なくなり、生産性が向上する。
【００３７】
第２の実施の形態
図３には、本願発明の第２の実施の形態にかかる電気炊飯器の要部が示されている。
【００３８】
この場合、コイルリング３４には、上下方向に並ぶ３個のコイル収納部３４ａ，３４ｂ，３４ｃが設けられており、これらのコイル収納部３４ａ，３４ｂ，３４ｃには、サブＩＨコイル１４Ａ，１４Ｂ，１４Ｃがそれぞれ略同じ巻数で縦巻状態で巻き付けられている。前記コイル収納部３４ａ，３４ｂ，３４ｃには、上段から下段に向かうに従って高さが高くなるリブ３７Ａ，３７Ｂ，３７Ｃがそれぞれ形成されており、これらのリブ３７Ａ，３７Ｂ，３７Ｃに対して前記サブＩＨコイル１４Ａ，１４Ｂ，１４Ｃがそれぞれ巻き付けられている。つまり、サブＩＨコイル１４Ａ，１４Ｂ，１４Ｃの内径Ｒ１，Ｒ２，Ｒ３は、Ｒ１＜Ｒ２＜Ｒ３とされているのである（換言すれば、サブＩＨコイル１４Ａと飯器３の側面部との距離＜サブＩＨコイル１４Ｂと飯器３の側面部との距離＜サブＩＨコイル１４Ｃと飯器３の側面部との距離とされているのである）。なお、本実施の形態においては、３個のサブＩＨコイル１４Ａ，１４Ｂ，１４Ｃが異なる内径を有することとされているが、３個のサブＩＨコイル１４Ａ，１４Ｂ，１４Ｃうち少なくとも一つの内径が他のものと異なるようにすることもできる。
【００３９】
上記のように構成したことにより、炊飯時・保温時においてサブＩＨコイル１４Ａ，１４Ｂ，１４Ｃへの同時通電あるいは特定のサブＩＨコイル１４Ａ、１４Ｂあるいは１４Ｃへの選択通電を行うことにより、飯器３側面部における加熱バランスの調整を容易に行い得るとともに、加熱面積を大きくすることもできる。従って、炊飯性能および保温性能を向上させることができる。また、材質の異なる飯器３を使用する場合に、サブＩＨコイル１４Ａ，１４Ｂ，１４Ｃを選択通電させることにより、材質の相異による飯器３とサブＩＨコイル１４Ａ，１４Ｂ，１４Ｃとの距離の最適化を図ることができるところから、部品の共通化を図ることもできる。
【００４０】
また、サブＩＨコイル１４Ａ，１４Ｂ，１４Ｃのうち上部側に配置されたものの内径を、下部側に配置されたものの内径より小さく設定するようにしているので、飯器３の底部下方に配設されているメインＩＨコイル１１による電磁誘導と、飯器３の側面部外方において下部側に配置されたサブＩＨコイル１４Ｃによる電磁誘導と、飯器３の側面部外方において上部側に配置されたサブＩＨコイル１４Ａ，１４Ｂによる電磁誘導とのバランスを良好に保持することができ、飯器側面部における加熱バランスの調整をより容易に行い得る。
【００４１】
さらに、サブＩＨコイル１４Ａ，１４Ｂ，１４Ｃを１個のコイルリング３４のコイル収納部３４ａ，３４ｂ，３４ｃに巻き付けるようにしているので、部品点数が少なくなり、生産性が向上する。
【００４２】
ところで、本実施の形態においては、サブＩＨコイル１４Ａ，１４Ｂ，１４Ｃの巻数を略同じとしているが、上部側に位置するものより下部側に位置するものを多くすることもできる。なお、サブＩＨコイル１４Ａ，１４Ｂ，１４Ｃのうちの上部側のサブＩＨコイル１４Ａ，１４Ｂの最大出力を、下部側のサブＩＨコイル１４Ｃの最大出力より小さく設定するのが望ましい。また、サブＩＨコイル１４Ａ，１４Ｂ，１４Ｃのうちの上部側のサブＩＨコイル１４Ａは、最大炊飯量（ご飯の状態）よりも上方に位置させるのが望ましい。また、サブＩＨコイル１４Ａ，１４Ｂ，１４Ｃの間隔は、下部側のサブＩＨコイル１４ＣとメインＩＨコイル１１との間隔よりも狭く設定するのが望ましい。
【００４３】
その他の構成および作用効果は、第１の実施の形態におけると同様なので説明を省略する。
【００４４】
第３の実施の形態
図４には、本願発明の第４の実施の形態にかかる電気炊飯器の要部が示されている。
【００４５】
この場合、二つのサブＩＨコイル１４Ａ，１４Ｂが、それぞれのコイルリング３４Ａ，３４Ｂに巻き付けられて設けられており、上部側のコイルリング３４Ａは、保護枠８の上端と肩部材７との間に挟持固定される一方、下部側のコイルリング３４Ｂは、保護枠８の外周側に固定されている。これらのサブＩＨコイル１４Ａ，１４Ｂのうちの上部側のサブＩＨコイル１４Ａの内径Ｒ１は、下部側のサブＩＨコイル１４Ｂの内径Ｒ２より小さくされている。つまり、上部サブＩＨコイル１４Ａと飯器３の側面部との距離は、下部サブＩＨコイル１４Ｂと飯器３の側面部との距離より小さくされているのである。このようにしたことにより、炊飯時・保温時においてサブＩＨコイル１４Ａ，１４Ｂへの同時通電あるいは特定のサブＩＨコイル１４Ａあるいは１４Ｂへの選択通電を行うことにより、飯器３側面部における加熱バランスの調整を容易に行い得るとともに、加熱面積を大きくすることもできる。従って、炊飯性能および保温性能を向上させることができる。また、材質の異なる飯器３を使用する場合に、サブＩＨコイル１４Ａ，１４Ｂを選択通電させることにより、材質の相異による飯器３とサブＩＨコイル１４Ａ，１４Ｂとの距離の最適化を図ることができるところから、部品の共通化を図ることもできる。
【００４６】
また、サブＩＨコイル１４Ａ，１４Ｂのうち上部側に配置されたものの内径を、下部側に配置されたものの内径より小さく設定するようにしているので、飯器３の底部下方に配設されているメインＩＨコイル１１による電磁誘導と、飯器３の側面部外方において下部側に配置されたサブＩＨコイル１４Ｂによる電磁誘導と、飯器３の側面部外方において上部側に配置されたサブＩＨコイル１４Ａによる電磁誘導とのバランスを良好に保持することができ、飯器側面部における加熱バランスの調整をより容易に行い得る。
【００４７】
この場合、サブＩＨコイル１４Ａ，１４Ｂの巻数は略同じとされているが、上部側に位置するものより下部側に位置するものを多くすることもできる。なお、サブＩＨコイル１４Ａ，１４Ｂのうちの上部側のサブＩＨコイル１４Ａの最大出力を、下部側のサブＩＨコイル１４Ｂの最大出力より小さく設定するのが望ましい。また、サブＩＨコイル１４Ａ，１４Ｂのうちの上部側のサブＩＨコイル１４Ａは、最大炊飯量（ご飯の状態）よりも上方に位置させるのが望ましい。また、サブＩＨコイル１４Ａ，１４Ｂの間隔は、下部側のサブＩＨコイル１４ＢとメインＩＨコイル１１との間隔よりも狭く設定するのが望ましい。
【００４８】
そして、上部側のコイルリング３４Ａの内周側には、磁気遮蔽するとともに自体発熱する環状の発熱体３８が配設されており、上部側のサブＩＨコイル１４Ａにより発熱体３８を誘導加熱することにより、飯器３の側面部を間接的に緩やかに加熱できるようになっている。また、前記コイルリング３４Ａと保護枠８の上端との間には温度ヒューズ３９が挟持されている。このようにすると、温度ヒューズ３９の取付が簡単となる。この場合、上部側のコイルリング３４Ａの外方にのみ磁気遮蔽板３６が配設されている。
【００４９】
その他の構成および作用効果は、第１の実施の形態におけると同様なので説明を省略する。
【００５０】
【発明の効果】
本願発明の第１の手段によれば、飯器の底部下方に配設したメインＩＨコイルによる誘導加熱により加熱するように構成した電気炊飯器において、前記飯器の側面部外方に、上下方向に並ぶ複数のサブＩＨコイルを配置するとともに、該複数のサブＩＨコイルのうちの少なくとも一つの内径を、他のものの内径と異ならしめて、炊飯時・保温時において複数のサブＩＨコイルへの同時通電あるいは特定のサブＩＨコイルへの選択通電を行うことにより、飯器側面部における加熱バランスの調整を容易に行い得るとともに、加熱面積を大きくすることもできるようにしているので、炊飯性能および保温性能を向上させることができるという効果がある。また、材質の異なる飯器を使用する場合に、複数のサブＩＨコイルを選択通電させることにより、材質の相異による飯器とサブＩＨコイルとの距離の最適化を図ることができるところから、部品の共通化を図ることもできるという効果もある。
【００５１】
本願発明の第２の手段におけるように、上記第１の手段を備えた電気炊飯器において、前記複数のサブＩＨコイルのうち巻数の少ないものの内径を、巻数の多いものの内径より小さく設定することもでき、そのようにした場合、巻数の少ないサブＩＨコイルによる飯器への電磁誘導と、巻数の多いサブＩＨコイルによる飯器への電磁誘導とのバランスを良好に保持することができ、飯器側面部における加熱バランスの調整をより容易に行い得る。
【００５２】
本願発明の第３の手段におけるように、上記第１又は第２の手段を備えた電気炊飯器において、前記複数のサブＩＨコイルのうち上部側に配置されたものの内径を、下部側に配置されたものの内径より小さく設定することもでき、そのようにした場合、飯器の底部下方に配設されているメインＩＨコイルによる電磁誘導と、飯器の側面部外方において下部側に配置されたサブＩＨコイルによる電磁誘導と、飯器の側面部外方において上部側に配置されたサブＩＨコイルによる電磁誘導とのバランスを良好に保持することができ、飯器側面部における加熱バランスの調整をより容易に行い得る。
【図面の簡単な説明】
【図１】本願発明の第１の実施の形態にかかる電気炊飯器の縦断面図である。
【図２】本願発明の第１の実施の形態にかかる電気炊飯器の要部拡大断面図である。
【図３】本願発明の第２の実施の形態にかかる電気炊飯器の要部拡大断面図である。
【図４】本願発明の第３の実施の形態にかかる電気炊飯器の要部拡大断面図である。
【符号の説明】
３は飯器、１１は主加熱手段（メインＩＨコイル）、１４Ａ，１４Ｂ，１４Ｃは補助加熱手段（サブＩＨコイル）、３４はコイルリング、３６は磁気遮蔽板、Ｒ１，Ｒ２，Ｒ３は内径。
【図１】
2004329654.tif 000003
【図２】
2004329654.tif 000004
【図３】
2004329654.tif 000005
【図４】
2004329654.tif 000006